(57)【要約】【課題】無断でマンホール蓋が開放されるのを確実に防止できるうえ、バール穴と閉塞ピースとの間の空間への土砂の堆積と、ロック解除時に閉止栓ががた付くのを防止して、常に円滑にロック解除操作できるロック機構を備えたマンホール構造を提供する。【解決手段】ロック重り１１、閉止栓１２、ばね１３と、蓋受枠１の内面に設けた係合爪１４などでロック機構を構成する。ロック重り１１は、一対の揺動軸１８を備えた二又状の吊持アーム１９と、ロックベース２０およびロック爪２１と、斜め下向きに突設されるばね受アーム２２とで構成する。閉止栓１２は、バール穴５を塞ぐ閉塞ピース３１と、閉塞ピース３１の下面に突設されるスライド軸３２と、ストッパー片３３などで構成する。スライド軸３５を揺動軸１８の近傍に設けたガイド溝２６で上下スライド可能に案内支持し、規制棒３８で浮き離れ不能に保持する。【選択図】図１
2007327217.tif 000002
【特許請求の範囲】
【請求項１】
地中に埋設される蓋受枠（１）と、蓋受枠（１）に対してヒンジ機構を介して開閉自在に連結されるマンホール蓋（２）と、マンホール蓋（２）と蓋受枠（１）との間に設けられて、マンホール蓋（２）を開放不能にロック保持するロック機構とを備えており、
ロック機構は、マンホール蓋（２）で揺動可能に軸支されるロック重り（１１）と、ロック重り（１１）でスライド自在に案内支持される閉止栓（１２）と、閉止栓（１２）を押し上げ付勢するばね（１３）と、ロック重り（１１）に対応して蓋受枠（１）の内面に設けられる下向きの係合爪（１４）を含み、
ロック重り（１１）は、上端に一対の揺動軸（１８）を備えた二又状の吊持アーム（１９）と、吊持アーム（１９）に連続して下方へ伸びるロックベース（２０）、およびロックベース（２０）の外面に突設されるロック爪（２１）と、吊持アーム（１９）およびロックベース（２０）から斜め下向きに突設されるばね受アーム（２２）とを一体に備えており、
閉止栓（１２）は、バール穴（５）に蓋裏側から嵌まり込む閉塞ピース（３１）と、閉塞ピース（３１）の下面から斜め下向きに突設されるスライド軸（３２）と、スライド軸（３２）に設けられるスライド溝（３５）と、スライド軸（３２）の上端寄りに張り出し形成されるストッパー片（３３）とを備えており、
閉止栓（１２）は、そのスライド軸（３５）がロック重り（１１）の吊持アーム（１９）の間に形成したガイド溝（２６）で上下スライドのみ可能に案内支持され、スライド溝（３５）と交差する状態でロック重り（１１）に固定した規制棒（３８）で浮き離れ不能に保持されており、
閉止栓（１２）の下部とばね受座（２４）との間にばね（１３）が配置してあるマンホール構造。
【請求項２】
閉止栓（１２）のスライド中心軸線（Ｌ）が、揺動軸（１８）の回動中心（Ｒ）の近傍を通るように傾斜させてあり、
閉塞ピース（３１）の面壁の過半部分が、閉塞ピース（３１）の上面と前記スライド中心軸線（Ｌ）との交点（Ｐ）より内側に位置している請求項１記載のマンホール構造。
【請求項３】
ロックベース（２０）の上部に、ロック重り（１１）のロック方向への揺動限界を規定する規制壁（２８）が形成されており、
常態において、ストッパー片（３３）がバール穴（５）の内側開口縁と接当し、規制壁（２８）が蓋受枠（１）の内面と接当して、ロック重り（１１）の揺動を規制できる請求項１または２記載のマンホール構造。
【請求項４】
ばね受アーム（２２）にばね（１３）の左右を覆う一対の擁壁（２９）とばね受座（２４）とが形成されており、
擁壁（２９）の上部、およびばね受座（２４）に臨む下部とに、それぞれ排水用の切欠（３０）が形成してある請求項１から３のいずれかに記載のマンホール構造。
【発明の詳細な説明】
【技術分野】
【０００１】
本発明は、マンホール蓋と蓋受枠との間に、マンホール蓋を開放不能にロック保持するロック機構を備えているマンホール構造、なかでもロック機構にバール穴を蓋裏側から閉止する閉止栓が組み込んであるマンホール構造に関する。
【背景技術】
【０００２】
この種のロック機構を備えたマンホール構造は特許文献１に公知である。そこでは、マンホール蓋で揺動可能に指示されるロック重りと、バール穴を閉止する閉止栓と、閉止栓を押し上げ付勢するばねなどでロック機構を構成している。
【０００３】
ロック重りは、ガイドボスを備えた重り本体と、重り本体の左右に突設される一対の吊持アームと、吊持アームの上端両側に突設される揺動軸と、重り本体の背面に張り出されるロック爪などを一体に備えた鋳造品からなる。閉止栓は、四角形のベースと、ベースの上面に突設される閉塞ピースと、ベースの下面に突設されるスライド軸と、ベースの上面に装着されるゴムパッキンなどで形成してある。スライド軸はガイドボスで往復スライド自在に案内支持されており、ロック重りが施錠状態にあるとき、閉止栓の全体がばねで押し上げ操作されて、閉塞ピースがバール穴を蓋裏側から閉止できるようになっている。特許文献２にも同様のロック機構が開示してある。
【０００４】
【特許文献１】特開２００５−３６５６０号公報（段落番号００１５、図３）
【特許文献２】特許第３６１６９２０号公報（段落番号００１８、図３）
【発明の開示】
【発明が解決しようとする課題】
【０００５】
上記のように閉止栓を備えたロック機構によれば、雨水や土砂がバール穴を介してマンホール内へ流入するのを防止できる。また、集中豪雨などの際に、マンホールの内圧が急激に上昇することがあっても、ロック重りを蓋受枠で掛止保持して、マンホール蓋が蓋受枠から分離するのをロック機構によって阻止できる。しかし、バール穴の開口内縁にゴムパッキンを密着させてバール穴を閉鎖するので、バール穴と閉塞ピースとの間の空間に土砂が堆積し充満することがある。そのため、マンホール蓋を開放するために、ロック機構をロック解除操作しようとするとき、堆積した土砂が邪魔になって閉止栓を押し下げ操作できず、マンホール蓋の開放に多くの手間が掛かることがある。
【０００６】
閉止栓の下部に突設したスライド軸を、重り本体の下部に設けたガイドボスで上下にスライド移動できるように支持している。換言すると、上下寸法が大きな吊持アームで重り本体を支持するので、揺動軸から遠く離れた位置に設けたガイドボスで閉止栓をスライド案内せざるを得ない。そのため、バール鍵で閉止栓を押し下げ操作するとき、スライド軸とガイドボスとの余裕隙間分だけ閉止栓ががた付くおそれがあり、ロック機構のロック解除操作を円滑に行えない。特許文献２では、閉止栓のがた付きを防ぐために、重り本体に閉止栓をスライド案内するための案内面を別途設けており、その分だけ重り本体の構造が複雑になる。
【０００７】
本発明の目的は、ロック解除用のバール鍵を使用しない限りはロック機構をロック解除操作することができず、いたずらなど無断でマンホール蓋が開放されるのを確実に防止できるうえ、バール穴と閉塞ピースとの間の空間に土砂が堆積するのを解消し、しかもバール鍵で閉止栓を押し下げ操作するとき閉止栓ががた付くのを防止して、常に円滑にロック解除操作できる、ロック機構を備えたマンホール構造を提供することにある。本発明の目的は、閉止栓を重り本体の揺動軸の近傍で直接スライド案内することにより、ロック解除操作の円滑化を実現でき、しかも広く普及しているマンホール構造にも問題なく適用できる、ロック機構を備えたマンホール構造を提供することにある。
【課題を解決するための手段】
【０００８】
本発明のマンホール構造は、地中に埋設される蓋受枠１と、蓋受枠１に対してヒンジ機構を介して開閉自在に連結されるマンホール蓋２と、マンホール蓋２と蓋受枠１との間に設けられて、マンホール蓋２を開放不能にロック保持するロック機構とを備えている。ロック機構は、マンホール蓋２で揺動可能に軸支されるロック重り１１と、ロック重り１１でスライド自在に案内支持される閉止栓１２と、閉止栓１２を押し上げ付勢するばね１３と、ロック重り１１に対応して蓋受枠１の内面に設けられる下向きの係合爪１４を含む。ロック重り１１は、上端に一対の揺動軸１８を備えた二又状の吊持アーム１９と、吊持アーム１９に連続して下方へ伸びるロックベース２０、およびロックベース２０の外面に突設されるロック爪２１と、吊持アーム１９およびロックベース２０から斜め下向きに突設されるばね受アーム２２とを一体に備えている。閉止栓１２は、バール穴５に蓋裏側から嵌まり込む閉塞ピース３１と、閉塞ピース３１の下面から斜め下向きに突設されるスライド軸３２と、スライド軸３２に設けられるスライド溝３５と、スライド軸３２の上端寄りに張り出し形成されるストッパー片３３とを備えている。閉止栓１２は、そのスライド軸３５がロック重り１１の吊持アーム１９の間に形成したガイド溝２６で上下スライドのみ可能に案内支持され、スライド溝３５と交差する状態でロック重り１１に固定した規制棒３８で浮き離れ不能に保持されている。閉止栓１２の下部とばね受座２４との間にばね１３を配置する。
【０００９】
図５に示すように閉止栓１２のスライド中心軸線Ｌは、揺動軸１８の回動中心Ｒの近傍、より好ましくは揺動軸１８の回動中心Ｒを通るように傾斜させる。閉塞ピース３１の面壁の過半部分を、閉塞ピース３１の上面と前記スライド中心軸線Ｌとの交点Ｐより内側に位置させる。
【００１０】
ロックベース２０の上部に、ロック重り１１のロック方向への揺動限界を規定する規制壁２８を形成する。常態において、ストッパー片３３がバール穴５の内側開口縁と接当し、規制壁２８が蓋受枠１の内面と接当することにより、ロック重り１１の揺動を規制する。
【００１１】
ばね受アーム２２にばね１３の左右を覆う一対の擁壁２９とばね受座２４とを形成する。擁壁２９の上部、およびばね受座２４に臨む下部とに、それぞれ排水用の切欠３０を形成する。
【発明の効果】
【００１２】
本発明においては、一対の揺動軸１８、二又状の吊持アーム１９、ロックベース２０、ロック爪２１と、吊持アーム１９およびロックベース２０から斜め下向きに突設されるばね受アーム２２などでロック重り１１を構成した。また、バール穴５に蓋裏側から嵌まり込む閉塞ピース３１と、閉塞ピース３１の下面から斜め下向きに突設されるスライド軸３２と、スライド軸３２の上端寄りに張り出し形成されるストッパー片３３などで閉止栓１２を構成し、そのスライド軸３５をロック重り１１の吊持アーム１９の間に形成したガイド溝２６で上下スライドのみ可能に案内支持するようにした。
【００１３】
上記のように、閉止栓１２のスライド軸３５を、吊持アーム１９の間に設けたガイド溝２６でスライド案内すると、従来のロック機構に比べて、揺動軸１８に接近した位置で閉止栓１２をスライド案内できることになる。しかも、スライド軸３５は規制棒３８で浮き離れ不能に保持される。そのため、バール鍵Ｔで閉止栓１２を押し下げ操作するとき、閉止栓１２ががた付くのを確実に防止して、ロック機構のロック解除操作を円滑に行うことができる。
【００１４】
常態におけるバール穴５は閉止栓１２の閉塞ピース３１で常に閉鎖されており、しかもロック重り１１をロック解除操作するには、ロック重り１１を所定の手順に従ってロック解除操作しなければならない。そのため、ロック機構がいたずら等で開放操作されるのを困難化して、マンホール蓋２が無断で開放されるのを確実に防止できる。また、本発明では、バール穴５と閉塞ピース３１との間の隙間から、雨水および土砂を蓋裏側へ流れ込ませ、土砂がバール穴５と閉塞ピース３１との間の空間に堆積するのを防止するので、閉止栓１２を土砂に邪魔されることなく常に円滑に押し下げ操作することができる。
【００１５】
閉止栓１２のスライド中心軸線Ｌが揺動軸１８の回動中心Ｒの近傍を通るように傾斜させ、これにより閉塞ピース３１の面壁の過半部分を、閉塞ピース３１の上面と前記スライド中心軸線Ｌとの交点Ｐより内側に位置させるロック機構によれば、閉止栓１２をバール鍵Ｔで押し下げ操作するとき、押し下げ力によって生じる傾動モーメントの向きを、ロック重り１１がロック係合する方向と一致させることができる。そのため、ロック重り１１がロック解除方向へ揺れ動くのを阻止した状態で、閉止栓１２の押し下げ操作を確実に行える。
【００１６】
ロック重り１１のロック方向への揺動限界を規定する規制壁２８をロックベース２０の上部に形成し、常態において、ストッパー片３３がバール穴５の内側開口縁と接当し、規制壁２８が蓋受枠１の内面と接当することにより、ロック重り１１の揺動を規制できるようにしたロック機構によれば、外部振動によってロック重り１１が揺動するのを解消できるうえ、マンホールが坂道に設けてある場合でも、ばね１３の付勢力と自重による回転モーメントによって、ロック重り１１がロック解除方向へ揺動するのを阻止して、ロック姿勢を維持できる。さらに、閉止栓１２を押し下げ操作するとき、ロック重り１１がぐらつくのを確実に防止できるので、閉止栓１２のスライド中心軸線Ｌを揺動軸１８の回動中心Ｒの近傍に位置させることと相俟って、ロック機構のロック解錠操作をさらに確実に行うことができる。
【００１７】
ばね受アーム２２に設けた擁壁２９の上部、およびばね受座２４に臨む下部のそれぞれに、排水用の切欠３０が形成してあると、バール穴５から流れ込んだ雨水および土砂を、閉止栓１２のスライド軸３２やばね凹部２７に沿って流下させ、その間に上下の切欠３０から排出できるので、土砂がロック重り１１、閉止栓１２あるいはばね１３の表面に堆積するのを防止でき、ロック機構のロック解除操作を常に円滑に行える。
【発明を実施するための最良の形態】
【００１８】
（実施例）  図１ないし図９は本発明に係るマンホール構造の実施例を示す。図２においてマンホール構造は、地中に埋設される蓋受枠１と、蓋受枠１に対してヒンジ機構を介して開閉自在に連結されるマンホール蓋２と、マンホール蓋２と蓋受枠１との間に設けられて、マンホール蓋２を開放不能にロック保持するロック機構などで構成する。
【００１９】
蓋受枠１は、上下面が開口するリング状の筒壁１ａと、筒壁１ａの下端周囲に張り出されるフランジ状の埋設座１ｂと、筒壁１ａと埋設座１ｂとの内隅部分に張り出される一群の補強リブなどを一体に備えた鋳造品からなる。筒壁１ａの内面上部には、マンホール蓋２を嵌め込み装着するための装着面３が下すぼまりテーパー状に形成してある。蓋受枠１とマンホール蓋２との直径線上にヒンジ機構とロック機構とが対向状に配置してある。
【００２０】
マンホール蓋２は円盤状の鋳造品からなり、その周面に先の装着面３と嵌合するテーパー面４（図１参照）が形成してある。マンホール蓋２の周縁には、ロック機構をロック解除操作するためのバール穴５が長穴状に切り欠き形成してあり、バール穴５の内面開口を囲む状態でロック重り１１を組み付けるための区画壁６が形成され、その内面左右にロック重り１１を軸支する軸受凹部７が形成してある。図４に示すように、コ字状に形成した区画壁６の橋絡壁の左右中央には、後述するスライド軸３２との接当緩衝を避けるための凹部６ａが切り欠き形成してある。
【００２１】
ヒンジ機構は、マンホール蓋２の内面に揺動可能に軸支される角状のヒンジ金具８と、蓋受枠１の内面に突設される金具受枠９などで構成する。ヒンジ金具８と金具受枠９とは、マンホール蓋２を１８０度反転開放し、あるいは、マンホール蓋２を水平に旋回して開放操作できるように構成してある。
【００２２】
図１においてロック機構は、マンホール蓋２で揺動可能に軸支されるロック重り１１と、ロック重り１１で往復スライド自在に案内支持される閉止栓１２と、閉止栓１２を押し上げ付勢する圧縮コイル形のばね１３と、ロック重り１１に対応して蓋受枠１の内面に設けられる下向きの係合爪１４などで構成する。係合爪１４の下端内面には、ロック重り１１のロック方向への揺動限界を規定する接当壁１５が突設してある。
【００２３】
図１および図３に示すように、ロック重り１１は、上端に揺動軸１８が設けてある二又状の吊持アーム１９と、吊持アーム１９に連続して下方へ伸びるロックベース２０と、ロックベース２０の外面に突設されて係合爪１４と互い違い状に対向する角形状のロック爪２１と、吊持アーム１９およびロックベース２０から斜め下向きに突設されるばね受アーム２２と、ロックベース２０の両側に張り出し形成される翼片２３などを一体に備えた鋳造品からなる。ばね受アーム２２の下端にはばね受座２４が形成され、その座面にばね１３のずれ動きを規制する突起２５が一体に形成してある。翼片２３は、ロック重り１１の重心位置を調整するために設けてある。
【００２４】
上記のように、ばね受アーム２２が斜め下向きに突設してあると、ロック重り１１をマンホール蓋２の軸受凹部７に軸支した状態において、自重による傾動モーメントによってロック重り１１をロック付勢することができる。因みに、本発明のロック重り１１においては、ばね受アーム２２を斜め下向きに大きく突設すること、即ちモーメントアームを大きくすることによって、自重による傾動モーメントを稼ぐので、従来のロック重りに比べて、外観形状を細身ですっきりしたものとして簡素化できる。また、吊持アーム１９の上下寸法は、従来の吊持アームの上下寸法に比べて著しく短い。
【００２５】
図３、図６および図７に示すように、吊持アーム１９の間には、後述する閉止栓１２のスライド軸３２を上下スライドのみ可能に案内支持するガイド溝２６が形成され、ばね受アーム２２には、ガイド溝２６の下端に連続してばね１３を収容するばね凹部２７が形成してある。ロック爪２１より上方のロックベース２０には、先に説明した係合爪１４の接当壁１５と接当する規制壁２８が形成してある。図７に示すようにばね凹部２７の左右には、一対の擁壁２９が張り出してあり、その上部およびばね受座２４に臨む下部には、それぞれ排水用の切欠３０が形成してある。
【００２６】
閉止栓１２は、一端が丸められた水平の閉塞ピース３１と、閉塞ピース３１の下面に連続して斜め下向きに突設される断面が四角形のスライド軸３２と、スライド軸３２の上端寄りの両側に張り出し形成されるストッパー片３３と、スライド軸３２の下端に突設されるばね受軸３４を一体に備えたステンレス製の金具からなる。スライド軸３２にはその軸心に沿うスライド溝３５が左右に貫通する状態で形成してある。
【００２７】
ばね受座２４の突起２５にばね１３の下端を外嵌し、ばね受軸３４がばね１３の上端に内嵌する状態でスライド軸３２をガイド溝２６に嵌め込み、さらに、スライド溝３５と直交するように組み付けた規制棒３８の両端を、六角穴付ボルト３９でロック重り１１に締結固定することにより、閉止栓１２の全体をガイド溝２６に沿って斜め上下にスライド可能に案内支持し、ばね１３によって押し上げ付勢できる。スライド軸３２は規制棒３８によってガイド溝２６から浮き離れ不能に保持される。
【００２８】
閉止栓１２およびばね１３が組み付けられたロック重り１１の揺動軸１８を、図３および図４に示すように蓋裏の軸受凹部７に組み付け、区画壁６の一側に締結固定した抜止金具４０で一方の揺動軸１８の抜け出しを規制することにより、ロック重り１１をマンホール蓋２と一体化して揺動可能に軸支できる。マンホール蓋２を蓋受枠１にヒンジ機構を介して連結し、蓋受枠１の開口面を閉止した状態においては、図１に示すように閉止栓１２の閉鎖ピース３１が蓋裏側からバール穴５内へ進入して穴空間を緩やかに塞いでいる。
【００２９】
上記の組み付け状態において、閉止栓１２のストッパー片３３は、ばね１３の押し上げ力を受けてバール穴５の内側開口縁と接当している。また、ロック重り１１は、ばね１３の付勢力を受け、さらに自重による回転モーメントを受けて、常にロック方向（図１において時計回転方向）へ揺動しようとするので、規制壁２８が接当壁１５で受け止められた状態に保持される。
【００３０】
このように、ロック重り１１をマンホール蓋２と蓋受枠１との間で突っ張り保持すると、外部振動によってロック重り１１が揺動するのを解消して、規制壁２８が接当壁１５に衝突して衝突音が生じるのを確実に防止できる。さらに、マンホールが坂道に設けてある場合でも、ばね１３の付勢力と自重による回転モーメントによって、ロック重り１１がロック解除方向へ揺動するのを阻止して、そのロック姿勢を維持することができる。
【００３１】
暴風雨時には、雨水および土砂がバール穴５と閉塞ピース３１との間の隙間から蓋裏側へ流れ込む。しかし、流れ込んだ雨水および土砂は、閉止栓１２のスライド軸３２やばね凹部２７に沿って流下し、最終的にばね受アーム２２の上下に設けた切欠３０から流下されるので、土砂がロック重り１１、閉止栓１２あるいはばね１３の表面に堆積することはなく、したがってロック重り１１を常に円滑にロック解除操作できる。
【００３２】
ロック重り１１をロック解除操作するときはバール鍵Ｔを使用する。図１に示すようにバール鍵Ｔの下端は逆Ｔ字状に形成してあり、断面が逆Ｖ形の一対の掛止爪４３を備えている。掛止爪４３をバール穴５から差し込み、その平坦な爪下面４４を閉塞ピース３１の面壁にあてがった状態でバール鍵Ｔを押し込むことにより、図８に示すように閉止栓１２がばね１３の付勢力に逆らって押し下げられる。
【００３３】
この押し下げ状態を維持したままで、バール鍵Ｔを９０度回動すると、掛止爪４３の上端がバール穴５の内側周囲壁の下面へ潜りこむので、ばね１３の反発力をマンホール蓋２に受け止めさせることができる。この状態で、図９に示すようにバール鍵Ｔをマンホール蓋２の外縁側へ傾けると、ロック重り１１が揺動軸１８を中心にして反時計回転方向へ揺動してロック解除姿勢に切り換わるので、その状態のままマンホール蓋２を持ち上げ操作することにより開放できる。このとき、スライド軸３２の一部は区画壁６と交差するが、交差部分には凹部６ａが形成してあるので、ロック重り１１を支障なくロック解除操作できる。
【００３４】
因みに、広く普及しているマンホール蓋２の内面には、凹部６ａを備えた区画壁６が設けてあるので、閉止栓を備えていない既存のマンホール蓋において、本発明のロック重り１１を従来のロック重りと換装することにより、閉止栓１２を備えたロック機構としていたずら防止機能を付加することができる。マンホール蓋ごと換装する場合に比べて、ロック重り１１のみを換装すればよいので、換装のためのコストを著しく節約できる。
【００３５】
上記のロック機構においては、閉止栓１２のスライド軸３５を、吊持アーム１９の間に形成したガイド溝２６で上下スライド可能に案内支持している。換言すると、揺動軸１８の近傍に設けたガイド溝２６で閉止栓１２をスライド案内するので、バール鍵Ｔで閉止栓１２を押し下げ操作するとき、閉止栓１２ががた付くのをよく防止できる。また、先に説明したように、ロック重り１１をマンホール蓋２と蓋受枠１との間で突っ張り保持して、ぐらつく余地のない状態で閉止栓１２を押し下げ操作できるので、全体としてロック重り１１を常に円滑にロック解除操作できる。
【００３６】
図５に示すように、閉止栓１２のスライド中心軸線Ｌは、常態において揺動軸１８の回動中心Ｒを通るように傾斜させてあり、閉塞ピース３１の上面と前記スライド中心軸線Ｌとの交点Ｐについて、閉塞ピース３１の面壁の過半部分が前記交点Ｐより内側に位置している。そのため、閉止栓１２を押し下げ操作するときは、掛止爪４３の爪下面４４の殆どが前記交点Ｐより内側に接当することとなり、その結果、ロック重り１１にはロック方向の傾動モーメントが作用し、規制壁２８が接当壁１５で受け止められた状態でロック重り１１を固定できる。つまり、閉止栓１２を押し下げ操作するとき、ロック重り１１が揺れ動くのを確実に防止して、ロック機構のロック解錠操作を確実にしかも円滑に行うことができる。
【００３７】
常態におけるバール穴５は閉止栓１２で常に閉鎖されており、しかもロック重り１１をロック解除操作するには、専用のバール鍵Ｔで閉止栓１２を所定位置まで押し下げ操作した後、ロック重り１１をロック解除方向へ揺動操作しなければならない。そのため、ロック機構がいたずら等で開放操作されるのを困難化して、マンホール蓋２が無断で開放されるのを確実に防止できる。たとえば、ツルハシで閉止栓１２を押し下げてマンホール蓋２をこじ開けようとしても、ロック重り１１にロック方向の傾動モーメントが作用するだけであるため、ロック重り１１をロック解除操作することはできず、したがってマンホール蓋２を開放することはできない。
【００３８】
上記の実施例では、スライド溝３５を横方向の貫通溝で形成したが、その必要はなく切り欠き状に形成することができる。スライド軸３２は丸軸や、周面の一部に平坦面が形成してあるトンネル断面状の軸で形成することができる。
【図面の簡単な説明】
【００３９】
【図１】マンホール蓋のロック機構を示す縦断側面図である。
【図２】マンホールの縦断側面図である。
【図３】図１におけるＡ−Ａ線断面図である。
【図４】図１におけるＢ−Ｂ線断面図である。
【図５】図３におけるＣ−Ｃ線断面図である。
【図６】図５におけるＤ−Ｄ線断面図である。
【図７】図５におけるＥ−Ｅ線断面図である。
【図８】ロック機構の解錠途中状態を示す縦断側面図である。
【図９】ロック機構の解錠完了状態を示す縦断側面図である。
【符号の説明】
【００４０】
１  蓋受枠
２  マンホール蓋
１１  ロック重り
１２  閉止栓
１３  ばね
１４  係合爪
１８  揺動軸
１９  吊持アーム
２０  ロックベース
２１  ロック爪
２２  ばね受アーム
３１  閉塞ピース
３２  スライド軸
３３  ストッパー片
【図１】
2007327217.tif 000003
【図２】
2007327217.tif 000004
【図３】
2007327217.tif 000005
【図４】
2007327217.tif 000006
【図５】
2007327217.tif 000007
【図６】
2007327217.tif 000008
【図７】
2007327217.tif 000009
【図８】
2007327217.tif 000010
【図９】
2007327217.tif 000011